(57)【要約】【課題】  本発明は、クラウンとつばの着脱操作が容易で着脱具となるボタンやボタンホールが露出することなく、ボタンやボタンホールを覆う折り返し部位が帽子周りを巻くリボン紐を兼ね、更に帽子を裏返して使用することが出来、リボン紐を兼ねる折り返し部位と帽子本体の色、模様、素材を変えてアクセントをつけることが出来、リボンの着脱が容易で飾り部材を自在に着脱出来、帽子を単独のものとして活用するのではなく装いの一部として活用できる種々のコーディネートが可能な帽子を提供することを可能にすることを目的としている。【解決手段】  帽子Ｃの円筒状部１１に設けられたボタン１０を、帽子Ｂの円筒状部３の内側からボタンホール４に掛け留めて円筒状部３，１１が連結され、円筒状部３の端部３ａが外側に折り返される折り返し部位５によりボタンホール４及びそれに掛け留められたボタン１０が覆い隠される構成としたことを特徴とする。【選択図】      図５2006152449.tif 000005
2006152449.tif 000002
【特許請求の範囲】
【請求項１】
頭部に嵌着される円筒状部の軸方向中間部にボタンホールが設けられ、そのボタンホールを覆い隠すように前記円筒状部の端部が外側に折り返されたことを特徴とする帽子。
【請求項２】
前記円筒状部の端部が外側に折り返される折り返し部位の片面または両面にリボン挿着部を設けたことを特徴とする請求項１に記載の帽子。
【請求項３】
前記リボン挿着部の内面側に第１の留め具が設けられ、該リボン挿着部に挿着されるリボンに前記第１の留め具に掛け留められる第２の留め具が設けられたことを特徴とする請求項２に記載の帽子。
【請求項４】
前記第１の留め具はリング糸の雌の面ファスナーであり、前記第２の留め具はかぎ状の雄の面ファスナーであることを特徴とする請求項３に記載の帽子。
【請求項５】
前記帽子は異なる色または異なる模様または異なる素材の生地が少なくとも２枚重ねで構成され、裏返して使用できることを特徴とする請求項１〜４のいずれか１項に記載の帽子。
【請求項６】
前記円筒状部の端部が外側に折り返される折り返し部位が帽子本体とは別体で構成されて接続されていることを特徴とする請求項１〜５のいずれか１項に記載の帽子。
【請求項７】
前記折り返し部位と前記帽子本体とはその片面または両面が異なる色または異なる模様または異なる素材の生地で構成されたことを特徴とする請求項６に記載の帽子。
【請求項８】
請求項１〜７のいずれか１項に記載の帽子と、
頭部に嵌着されると共に表面側にボタンが設けられた第２の円筒状部と、
前記第２の円筒状部に接続されたつば部と、
を有し、
前記第２の円筒状部のボタンを、請求項１〜７のいずれか１項に記載の帽子の第１の円筒状部の内側から前記ボタンホールに掛け留めて前記第１、第２の円筒状部が連結され、前記第１の円筒状部の端部が外側に折り返される折り返し部位により前記ボタンホール及びそれに掛け留められたボタンが覆い隠されたことを特徴とする帽子。
【請求項９】
頭部に嵌着されると共に表面側にボタンが設けられた円筒状部と、
前記円筒状部に接続されたつば部と、
長方形の布の両端から所定の位置に布の幅方向に寄せ集めて固定することによって形成したギャザー部と、前記ギャザー部の一方に該ギャザー部の幅の略半分に布の長さ方向に対して略平行に開口部を有するゴムシャーリングとを設けた布を該ゴムシャーリングを有する面が外側になるように２枚縫い合わせとして布の幅方向に略半分に折り返し自在とし、その布の幅方向一端部の長手方向に沿ってボタンホールが設けられた飾り部材と、
を有し、
前記飾り部材を前記円筒状部の外周に巻き付けて該飾り部材のボタンホールに前記円筒状部のボタンを掛け留め、更に該飾り部材の長手方向一端部を他端部に設けたゴムシャーリングの開口部に挿着して該飾り部材が該円筒状部に連結され、前記飾り部材の布の幅方向に略半分に折り返される折り返し部位により前記ボタンホール及びそれに掛け留められ
2006152449.tif 000004
【発明の詳細な説明】
【技術分野】
【０００１】  本発明は、種々のコーディネートが可能な帽子に関するものである。
【背景技術】
【０００２】  従来、コーディネートが可能な帽子として、クラウンとつばを着脱可能に構成したものが特開２００１−５５６１４号公報（特許文献１）、実開昭６２−１２９０２６号公報（特許文献２）、実開昭５１−１３５７２５号公報（特許文献３）、実開昭５９−４０３３４号公報（特許文献４）、実開昭５８−１８４５２９号公報（特許文献５）により提案されている。特許文献１〜４はファスナーにより接続され、特許文献５はボタンにより接続されるものである。【０００３】  一方、本発明者は自分で結ぶ必要がなく、２枚の布を縫い合わせて１枚で２種類のスカーフとして使用出来る衣装小物を特開２０００−３２８３３０号公報（特許文献６）により提案している。【０００４】
【特許文献１】  特開２００１−０５５６１４号公報
【特許文献２】  実開昭６２−１２９０２６号公報
【特許文献３】  実開昭５１−１３５７２５号公報
【特許文献４】  実開昭５９−０４０３３４号公報
【特許文献５】  実開昭５８−１８４５２９号公報
【特許文献６】  特開２０００−３２８３３０号公報
【発明の開示】
【発明が解決しようとする課題】
【０００５】  しかしながら、前述の従来例において、特許文献１〜５の技術では、全開ファスナーにより接続するため留めにくく外し難いという問題があり、糸屑等を噛みやすく、着脱操作が煩わしいという問題がある。また特許文献２〜６の技術では、着脱具となるファスナーやボタンが露出しているため意匠的に見栄えが悪いという問題がある。特許文献１では表地と裏地との間にファスナーが隠されるものの、ファスナーを留める際に表地をめくりながら接続しなければならず、着脱操作が煩わしいという問題がある。【０００６】  本発明は前記課題を解決するものであり、その目的とするところは、クラウンとつばの着脱操作が容易で着脱具となるボタンやボタンホールが露出することなく、ボタンやボタンホールを覆う折り返し部位が帽子周りを巻くリボン紐を兼ね、更に帽子を裏返して使用することが出来、リボン紐を兼ねる折り返し部位と帽子本体の色、模様、素材を変えてアクセントをつけることが出来、リボンの着脱が容易で飾り部材を自在に着脱出来、種々のコーディネートが可能な帽子を提供せんとするものである。
【課題を解決するための手段】
【０００７】  前記目的を達成するための本発明に係る帽子の第１の構成は、頭部に嵌着される円筒状部の軸方向中間部にボタンホールが設けられ、そのボタンホールを覆い隠すように前記円筒状部の端部が外側に折り返されたことを特徴とする。【０００８】  また、本発明に係る帽子の第２の構成は、前記第１の構成において、前記円筒状部の端部が外側に折り返される折り返し部位の片面または両面にリボン挿着部を設けたことを特徴とする。【０００９】  また、本発明に係る帽子の第３の構成は、前記第２の構成において、前記リボン挿着部の内面側に第１の留め具が設けられ、該リボン挿着部に挿着されるリボンに前記第１の留め具に掛け留められる第２の留め具が設けられたことを特徴とする。【００１０】  また、本発明に係る帽子の第４の構成は、前記第３の構成において、前記第１の留め具はリング糸の雌の面ファスナーであり、前記第２の留め具はかぎ状の雄の面ファスナーであることを特徴とする。【００１１】  また、本発明に係る帽子の第５の構成は、前記第１〜４の構成において、前記帽子は異なる色または異なる模様または異なる素材の生地が少なくとも２枚重ねで構成され、裏返して使用できることを特徴とする。【００１２】  また、本発明に係る帽子の第６の構成は、前記第１〜５の構成において、前記円筒状部の端部が外側に折り返される折り返し部位が帽子本体とは別体で構成されて接続されていることを特徴とする。【００１３】  また、本発明に係る帽子の第７の構成は、前記第６の構成において、前記折り返し部位と前記帽子本体とはその片面または両面が異なる色または異なる模様または異なる素材の生地で構成されたことを特徴とする。【００１４】  また、本発明に係る帽子の第８の構成は、前記第１〜７の構成の帽子と、頭部に嵌着されると共に表面側にボタンが設けられた第２の円筒状部と、前記第２の円筒状部に接続されたつば部とを有し、前記第２の円筒状部のボタンを、前記第１〜７の構成の帽子の第１の円筒状部の内側から前記ボタンホールに掛け留めて前記第１、第２の円筒状部が連結され、前記第１の円筒状部の端部が外側に折り返される折り返し部位により前記ボタンホール及びそれに掛け留められたボタンが覆い隠されたことを特徴とする。【００１５】  また、本発明に係る帽子の第９の構成は、頭部に嵌着されると共に表面側にボタンが設けられた円筒状部と、前記円筒状部に接続されたつば部と、長方形の布の両端から所定の位置に布の幅方向に寄せ集めて固定することによって形成したギャザー部と、前記ギャザー部の一方に該ギャザー部の幅の略半分に布の長さ方向に対して略平行に開口部を有するゴムシャーリングとを設けた布を該ゴムシャーリングを有する面が外側になるように２枚縫い合わせとして布の幅方向に略半分に折り返し自在とし、その布の幅方向一端部の長手方向に沿ってボタンホールが設けられた飾り部材とを有し、前記飾り部材を前記円筒状部の外周に巻き付けて該飾り部材のボタンホールに前記円筒状部のボタンを掛け留め、更に該飾り部材の長手方向一端部を他端部に設けたゴムシャーリングの開口部に挿着して該飾り部材が該円筒状部に連結され、前記飾り部材の布の幅方向に略半分に折り返される折り返し部位により前記ボタンホール及びそれに掛け留められたボタンが覆い隠されたことを特徴とする。
【発明の効果】
【００１６】  本発明に係る帽子の第１の構成によれば、キャップ或いはクラウン等の一部となる円筒状部の軸方向中間部にボタンホールを設けたことで、該円筒状端部を外側に折り返して該ボタンホールを覆い隠すことが出来る。またボタンホールを覆う折り返し部位が帽子周りを巻くリボン紐を兼ねることが出来る。【００１７】  本発明に係る帽子の第２の構成によれば、ボタンホールを覆う折り返し部位が帽子周りを巻くリボン紐を兼ねており、その折り返し部位の片面または両面に設けたリボン挿着部にリボンを挿着することが出来る。帽子を裏返して使用すれば所望の面に設けたリボン挿着部にリボンを挿着することが出来る。【００１８】  本発明に係る帽子の第３の構成によれば、リボン挿着部の内面側に設けた第１の留め具に、リボンに設けた第２の留め具を掛け留めることでリボンの着脱が容易に出来る。【００１９】  本発明に係る帽子の第４の構成によれば、リボン挿着部の内面側に設けた雌の面ファスナーに、リボンに設けた雄の面ファスナーを掛け留めることでリボンの着脱が容易に出来る。リボン挿着部の内面側にはリング糸の雌の面ファスナーを設けたことでリボン挿着部の内面側で面ファスナーが帽子本体に絡んで該リボン挿着部のリボンを挿入する開口を塞ぐことがなく、リボンのリボン挿着操作が容易に出来る。【００２０】  本発明に係る帽子の第５の構成によれば、異なる色または異なる模様または異なる素材の生地が少なくとも２枚重ねで構成されたことで、帽子を裏返して使用する場合に表裏２種類の異なるデザインが楽しめ、装いに合わせたコーディネートの自由度が広がる。【００２１】  本発明に係る帽子の第６の構成によれば、予め片面または両面にリボン挿着部を縫い付けた折り返し部位を帽子本体に縫い付けて接続することが出来るので縫製が容易に出来る。【００２２】  本発明に係る帽子の第７の構成によれば、リボン紐を兼ねる折り返し部位と帽子本体の色、模様、素材を変えて接続することによりアクセントをつけることが出来る。例えば、帽子を裏返して使用する場合に表裏地の色、模様、素材を変えて構成するが、リボン紐を兼ねる折り返し部位の表裏地と帽子本体の表裏地の色、模様、素材を互い違いに接続することにより、外側に折り返した折り返し部位の表面の生地と、帽子本体の表面の生地とを同一にすることが出来、リボン紐を兼ねる折り返し部位と帽子本体の色、模様、素材を統一することも出来る。【００２３】  本発明に係る帽子の第８の構成によれば、帽子とつば部との着脱操作が容易で着脱具となるボタンやボタンホールはリボン紐を兼ねる折り返し部位により覆い隠され露出することがないため意匠的に見栄えが良い。【００２４】  本発明に係る帽子の第９の構成によれば、つば部が設けられた帽子と飾り部材との着脱操作が容易で着脱具となるボタンやボタンホールは飾り部材を折り返した折り返し部位により覆い隠され露出することがないため意匠的に見栄えが良い。【００２５】  飾り部材は布の幅方向に半分に折り、一方のキャザー部に設けたゴムシャーリングに、他方の端を通し、ギャザー部で固定することによって、帽子の円筒状部周りに環状に保持される。したがって、飾り部材の端部を結ぶ必要が無く、型くずれもしに���い。ゴムシャーリングは、伸びるため他方の端を通し易い。また、ゴムシャーリングが合せ目の中心となるので、意匠的に見栄えが良い。また、飾り部材の幅方向に略半分に折り曲げることにより、帽子の円筒状部軸方向に延長される部分が輪になるので、意匠的に見栄えが良い。また、ゴムシャーリングをキャザー部の略半分としてあるので、飾り部材を折り曲げるとゴムシャーリングが表面側に配置され、飾り部材の端部が表面側で挿着出来るので飾り部材の着脱操作が容易で意匠的に見栄えが良い。更に、２枚の布を縫い合わせたことにより、両面を使用することが出来る。飾り部材の各面を異なる色または模様または異なる素材にすることにより、一枚の飾り部材が二種類の飾り部材として使用出来るので、表裏２種類の異なるデザインが楽しめ、装いに合わせたコーディネートの自由度が広がる。
【発明を実施するための最良の形態】
【００２６】  図により本発明に係る帽子の一実施形態を具体的に説明する。図１（ａ），（ｂ）は本発明に係る帽子の第１実施形態の構成を示す断面説明図及び斜視図、図２は第１実施形態の帽子を裏返して使用する様子を示す斜視図、図３（ａ），（ｂ）は本発明に係る帽子の第２実施形態の構成を示す分解斜視図及び断面説明図、図４（ａ），（ｂ）は本発明に係る帽子の第２実施形態の構成を示す断面説明図及び斜視図、図５（ａ），（ｂ）は第２実施形態の帽子につば部を接続する様子を示す斜視図、図６は第２実施形態の帽子につば部を接続した様子を示す斜視図、図７はリボン挿着部の構成を示す斜視図、図８はリボン挿着部を取り付ける様子を示す断面説明図、図９（ａ）はリボンの構成を示す斜視図、図９（ｂ）はリボンをリボン挿着部に取り付けた様子を示す斜視図、図１０（ａ）はつば部の構成を示す斜視図、図１０（ｂ）は飾り部材の構成を示す図、図１０（ｃ）はつば部に飾り部材を取り付ける様子を示す図、図１０（ｄ），（ｅ）はつば部に飾り部材を取り付けた様子を示す図である。【００２７】  図１において、第１実施形態の帽子Ａは、異なる色または異なる模様または異なる素材の生地１，２が少なくとも２枚重ねで構成され、図１（ｂ）及び図２に示すように裏返して使用出来るように構成されている。生地１，２の一例としては、皮革、合成繊維、ニット、カットソー等が適宜使用出来る。【００２８】  頭部に嵌着される円筒状部３の軸方向中間部には同一円周上に複数のボタンホール４が設けられており、該円筒状部３の端部３ａが外側に折り返されてボタンホール４を覆い隠すように構成されている。ボタンホール４は横穴であっても良いし、縦穴であっても良い。円筒状部３は天部が閉塞されたキャップやクラウン等の帽子Ａの一部であっても良いし、天部が開放された冠状の帽子Ａの一部であっても良く、帽子Ａの天部の形態に限定されるものではない。【００２９】  異なる色または異なる模様または異なる素材の生地１，２が少なくとも２枚重ねで構成されたことで、帽子Ａを裏返して使用する場合に表裏２種類の異なるデザインが楽しめ、装いに合わせたコーディネートの自由度が広がる。【００３０】  図３において、第２実施形態の帽子Ｂは、円筒状部３の端部３ａが外側に折り返される折り返し部位５が帽子本体６とは別体で構成されて縫製により接続されたものである。折り返し部位５と帽子本体６とはその片面または両面が異なる色または異なる模様または異なる素材の生地７，８で構成されている。【００３１】  本実施形態では、帽子本体６の生地１と折り返し部位５の生地８を同一とし、帽子本体６の生地２と折り返し部位５の生地７を同一として構成し、図４（ａ），（ｂ）に示すように、円筒状部３の端部３ａを外側に折り返してボタンホール４を覆い隠した際に図４（ｂ）に示すように帽子本体６の表面側と折り返し部位５の表面側の生地１，８が一致するデザインとしている一例である。【００３２】  このように、リボン紐を兼ねる折り返し部位５と帽子本体６の色、模様、素材を変えて接続することによりアクセントをつけることが出来る。例えば、帽子Ｂを裏返して使用する場合に表裏地の色、模様、素材を変えて構成するが、リボン紐を兼ね���折り返し部位５の表裏地と帽子本体６の表裏地の色、模様、素材を互い違いに接続することにより、外側に折り返した折り返し部位５の表面の生地と、帽子本体６の表面の生地とを同一にすることが出来、リボン紐を兼ねる折り返し部位５と帽子本体６の色、模様、素材を統一することも出来る。他の構成は前記第１実施形態と同様に構成される。【００３３】  図５（ａ），（ｂ）及び図６は第２実施形態の帽子Ｂに、つば部９を有する帽子Ｃを接続した一例を示したものである。尚、第１実施形態の帽子Ａに、つば部９を有する帽子Ｃを接続することも出来る。帽子Ｃは頭部に嵌着されると共に表面側に帽子Ｂの円筒状部３に設けられたボタンホール４の数だけボタン１０が設けられた円筒状部１１と該円筒状部１１に接続されたつば部９を有して構成されている。【００３４】  そして、図５（ａ）に示すように、帽子Ｂの折り返し部位５を帽子本体６の円筒状部３に延長するように伸ばした状態で、帽子Ｃの円筒状部１１を帽子Ｂの円筒状部３の内部に挿入し、図５（ｂ）に示すように、ボタン１０を帽子Ｂの円筒状部３の内側からボタンホール４に掛け留めて円筒状部３，１１が連結され、図６に示すように、帽子Ｂの円筒状部３の端部３ａが外側に折り返される折り返し部位５によりボタンホール４及びそれに掛け留められたボタン１０が覆い隠される。【００３５】  これにより、帽子Ａ，Ｂとつば部９との着脱操作が容易で着脱具となるボタン１０やボタンホール４はリボン紐を兼ねる折り返し部位５により覆い隠され露出することがないため意匠的に見栄えが良い。【００３６】  図７及び図８は円筒状部３の端部３ａが外側に折り返される折り返し部位５の両面に装飾を兼ねたリボン挿着部１２，１３を設けたものである。リボン挿着部１２，１３は折り返し部位５の周方向に対して略平行に開口部を有して設けられており、該リボン挿着部１２，１３の内面側には留め具となる複数のリング糸を設けた雌の面ファスナー１４，１５が設けられている。【００３７】  図８（ａ）に示すように、帽子本体６とは別体で設けられた折り返し部位５の両面に面ファスナー１４，１５が縫製された後、図８（ｂ）に示すように、リボン挿着部１２，１３が面ファスナー１４，１５を覆うように折り返し部位５の両面に縫製され、折り返し部位５が円筒状部３に縫製されて接続される。【００３８】  尚、本実施形態では折り返し部位５の両面にリボン挿着部１２，１３が設けられた場合の一例について説明したが、折り返し部位５の片面にリボン挿着部１２，１３の何れかを設けることでも良い。リボン挿着部１２，１３及び面ファスナーｌ４，１５は帽子Ａ，Ｂの前方に付けても良いし後方に付けても良いし、側方に付けても良く、適宜所望の位置に所望の数だけ配置することが出来る。【００３９】  このように、予め片面または両面にリボン挿着部１２，１３を縫い付けた折り返し部位５を帽子本体６に縫い付けて接続することが出来るので縫製が容易に出来る。【００４０】  図９（ａ）に示すように、リボン挿着部１２，１３に挿着されるリボン１６には、第１の留め具となる面ファスナー１４，１５に掛け留められる第２の留め具となるかぎ状の雄の面ファスナー１７が設けられており、図９（ｂ）に示すように、リボン１６をリボン挿着部１３に挿入し、上から軽く押さえて面ファスナー１５，１７を掛け留めることによりリボン１６をリボン挿着部１３に挿着することが出来る。尚、帽子Ｂを裏返して使用する場合には、リボン１６をリボン挿着部１２に挿入して面ファスナー１４，１７を掛け留めることによりリボン１６をリボン挿着部１２に挿着することが出来る。【００４１】  リボン挿着部１２，１３の内面側にリング糸の雌の面ファスナー１４，１５を設けたことでリボン挿着部１２，１３の内面側で面ファスナー１４，１５が帽子本体６に絡んで該リボン挿着部１２，１３のリボン１６を挿入する開口を塞ぐことがなく、リボン１６のリボン挿着操作が容易に出来る。また、リボン１６を使用しない時でもリボン挿着部１２，１３の素材を傷付ける心配がない。【００４２】  リボン１６をリボン挿着部１２，１３に差し込むだけでは抜ける心配があり、縫い付けると固定されるため帽子Ａ，Ｂの両面使用が出来なくなるが、面ファスナー１４，１５，１７により着脱可能に掛け留める構成としたことで、その日の気分によってスポーティにもエレガントにも装うことが出来る。【００４３】  リボン挿着部１２，１３及び面ファスナー１４，１５を帽子Ａ，Ｂの前方、後方、側方等の折り返し部位５の周上の所望の位置に所望の数だけ配置することで、リボン１６を取り付ける位置及びリボン１６の数を変化させることが出来、多彩なコーディネートが出来る。【００４４】  図１０に示す第３実施形態では、図１０（ａ）に示す頭部に嵌着されると共に表面側にボタン１０が設けられた円筒状部１１と、該円筒状部１１に接続されたつば部９を有する帽子Ｃに、図１０（ｂ）に示すボタンホール１９が設けられた飾り部材１８を巻き付けたものである。【００４５】  飾り部材１８は、長方形の布の両端から所定の位置に布の幅方向（図１０（ｂ）の上下方向）に寄せ集めて固定することによって形成されたギャザー部２０と、該ギャザー部２０の一方に該ギャザー部２０の幅の略半分に布の長手方向（図１０（ｂ）の左右方向）に対して略平行に開口部を有するゴムシャーリング２１とを設けた布を該ゴムシャーリング２１を有する面が外側になるように２枚縫い合わせとして布の幅方向（図１０（ｂ）の上下方向）に略半分に折り返し自在とし、その布の幅方向の一端部の長手方向（図１０（ｂ）の左右方向）に治って複数のボタンホール１９が設けられたものである。【００４６】  そして、図１０（ｃ）に示すように、飾り部材１８を円筒状部１１の外周に巻き付けて該飾り部材１８のボタンホール１９に円筒状部１１のボタン１０を掛け留め、更に飾り部材１８の布の幅方向に略半分に折り返される折り返し部位２２を折り返してボタンホール１９及びそれに掛け留められたボタン１０を覆い隠し、飾り部材１８の長手方向一端部を他端部に設けたゴムシャーリング２１の開口部に挿着して該飾り部材１８が円筒状部１１に連結される。図１０（ｄ）は帽子Ｃを後方から見た一例であり、図１０（ｅ）は帽子Ｃを前方から見た一例である。【００４７】  このように、つば部９が設けられた帽子Ｃと飾り部材１８との着脱操作が容易で着脱具となるボタン１０やボタンホール１９は飾り部材１８を折り返した折り返���部位２２により覆い隠され露出することがないため意匠的に見栄えが良い。【００４８】  飾り部材１８は布の幅方向に半分に折り、一方のギャザー部２０に設けたゴムシャーリング２１に、他方の端を通し、キャザー部２０で固定することによって、帽子Ｃの円筒状部１１周りに環状に保持される。したがって、飾り部材１８の端部を結ぶ必要が無く、型くずれもしにくい。ゴムシャーリング２１は、伸びるため他方の端を通し易い。また、ゴムシャーリング２１が合せ目の中心となるので、意匠的に見栄えが良い。また、飾り部材１８の幅方向に略半分に折り曲げることにより、帽子Ｃの円筒状部１１の軸方向に延長される部分が輪になるので、意匠的に見栄えが良い。また、ゴムシャーリング２１をギャザー部２０の略半分としてあるので、飾り部材１８を折り曲げるとゴムシャーリング２１が表面側に配置され、飾り部材１８の端部が表面側で挿着出来るので飾り部材１８の着脱操作が容易で意匠的に見栄えが良い。更に、２枚の布を縫い合わせたことにより、両面を使用することが出来る。飾り部材１８の各面を異なる色または模様または異なる素材にすることにより、一枚の飾り部材１８が二種類の飾り部材として使用出来るので、表裏２種類の異なるデザインが楽しめ、装いに合わせたコーディネートの自由度が広がる。【００４９】  尚、図１０では一方のギャザー部２０に設けたゴムシャーリング２１に他方の端を通した飾り部材１８のリボン状の合わせ目が帽子Ｃの前方になる場合の一例について説明したが、該飾り部材１８のリボン状の合わせ目を帽子Ｃの前方、後方、側方等の円筒状部１１の周上の所望の位置に配置することで、該飾り部材１８のリボン状の合わせ目を取り付ける位置を変化させることが出来、多彩なコーディネートが出来る。
【産業上の利用可能性】
【００５０】  本発明の活用例として、種々のコーディネートが可能な帽子に適用することが出来る。
【図面の簡単な説明】
【００５１】
【図１】  （ａ），（ｂ）は本発明に係る帽子の第１実施形態の構成を示す断面説明図及び斜視図である。
【図２】  第１実施形態の帽子を裏返して使用する様子を示す斜視図である。
【図３】  （ａ），（ｂ）は本発明に係る帽子の第２実施形態の構成を示す分解斜視図及び断面説明図である。
【図４】  （ａ），（ｂ）は本発明に係る帽子の第２実施形態の構成を示す断面説明図及び斜視図である。
【図５】  （ａ），（ｂ）は第２実施形態の帽子につば部を接続する様子を示す斜視図である。
【図６】  第２実施形態の帽子につば部を接続した様子を示す斜視図である。
【図７】  リボン挿着部の構成を示す斜視図である。
【図８】  リボン挿着部を取り付ける様子を示す断面説明図である。
【図９】  （ａ）はリボンの構成を示す斜視図、（ｂ）はリボンをリボン挿着部に取り付けた様子を示す斜視図である。
【図１０】  （ａ）はつば部の構成を示す斜視図、（ｂ）は飾り部材の構成を示す図、（ｃ）はつば部に飾り部材を取り付ける様子を示す図、（ｄ），（ｅ）はつば部に飾り部材を取り付けた様子を示す図である。
【符号の説明】
【００５２】  Ａ，Ｂ，Ｃ…帽子
１，２…生地
３…円筒状部
３ａ…端部
４…ボタンホール
５…折り返し部位
６…帽子本体
７，８…生地
９…つば部
１０…ボタン
１１…円筒状部
１２，１３…リボン挿着部
１４，１５…面ファスナー
１６…リボン
１７…面ファスナー
１８…飾り部材
１９…ボタンホール
２０…ギャザー部
２１…ゴムシャーリング
2006152449.tif 000003
【図１】
2006152449.tif 000006
【図２】
2006152449.tif 000007
【図３】
2006152449.tif 000008
【図４】
2006152449.tif 000009
【図５】
2006152449.tif 000010
【図６】
2006152449.tif 000011
【図７】
2006152449.tif 000012
【図８】
2006152449.tif 000013
【図９】
2006152449.tif 000014
【図１０】
2006152449.tif 000015